(57)【要約】【課題】  フッ素樹脂層により耐摩耗性を確保しつつ、収容した内側のケーブル部に対する拘束を抑えて、ケーブル部にストレスが加わりにくく、且つ、硬化部分を生じさせず、ケーブル部収容状態で無理なく容易に屈曲可能なケーブル用カバーを提供する。【解決手段】  ケーブル部１０を覆って保護するカバー２０として、ケーブル部１０が内部を通る管状部２１を設け、フッ素樹脂層を管状部２１の内外に配置すると共に、管状部２１に凹凸を多数並べて形成することから、ケーブル部１０とカバー２０からなるケーブル全体が動いて、ケーブル部１０を収めたカバー２０と、ケーブル近傍の他の物体やケーブルの他部位との接触が起こる際には、管状部２１における他との接触をその凸部２１ｃのみで生じさせられ、接触面積を少なくして摩擦を減らすことができ、ケーブル全体をスムーズに動かせると共に、摩耗の大幅な抑制が図れる。【選択図】図１
2019009859.tif 000002
【特許請求の範囲】
【請求項１】
中間樹脂層の内外両側にフッ素樹脂層をそれぞれ一体に配置した積層管壁構造の管状体とされて、内部に中空部分を設けられてなる管状部と、
当該管状部外面から突出する状態として管状部と一体に配設される、管状部長手方向に連続する突条部とを備え、
前記管状部が、積層構造の一の管壁部分と、当該一の管壁部分の中間樹脂層及び二つのフッ素樹脂層とはそれぞれ連続しない他の中間樹脂層及び二つのフッ素樹脂層による積層構造である他の管壁部分とを有し、
前記突条部は、管状部における一の管壁部分における外側のフッ素樹脂層と一体化して連続するフッ素樹脂層と、管状部における一の管壁部分における中間樹脂層及び他の管壁部分における中間樹脂層と一体化した中間樹脂層と、管状部における他の管壁部分における外側のフッ素樹脂層と一体化して連続するフッ素樹脂層との積層構造として形成されたものであり、
前記管状部の、一の管壁部分と他の管壁部分の少なくとも一方における、少なくとも外面に、略同じ大きさの多数の凹凸が、管状部長手方向に並べて形成されることを
特徴とするケーブル用カバー。
【請求項２】
前記請求項１に記載のケーブル用カバーにおいて、
前記管状部の各管壁部分における外側のフッ素樹脂層と中間樹脂層とが、互いに異なる色をそれぞれ付けられた状態として形成されることを
特徴とするケーブル用カバー。
【請求項３】
前記請求項１又は２に記載のケーブル用カバーにおいて、
前記突条部に、管状部の凹凸より管状部長手方向に長い多数の凹凸を、管状部長手方向に並べて形成されることを
特徴とするケーブル用カバー。
【請求項４】
前記請求項１ないし３のいずれかに記載のケーブル用カバーにおいて、
前記管状部の横幅方向における一又は複数の所定箇所に、管状部における一の管壁部分における外側のフッ素樹脂層と一体化して連続するフッ素樹脂層と、管状部における一の管壁部分における中間樹脂層及び他の管壁部分における中間樹脂層と一体化した中間樹脂層と、管状部における他の管壁部分における外側のフッ素樹脂層と一体化して連続するフッ素樹脂層との積層構造として形成される接合部が、管状部長手方向に連続して設けられ、
管状部の中空部分が、接合部位置で複数に区画されることを
特徴とするケーブル用カバー。
【請求項５】
心線を一又は複数本有して可撓性のあるケーブル部と、内側に前記ケーブル部を一又は複数組収容する中空部分のある略管状のカバーとを備えるケーブルにおいて、
前記カバーが、
中間樹脂層の内外両側にフッ素樹脂層をそれぞれ配置した積層管壁構造の管状体とされて、内部にケーブル部を収容可能な中空部分を設けられてなる管状部と、
当該管状部外面から突出する状態として管状部と一体に配設される、管状部長手方向に連続する突条部とを備え、
前記管状部が、積層構造の一の管壁部分と、当該一の管壁部分の中間樹脂層及び二つのフッ素樹脂層とはそれぞれ連続しない他の中間樹脂層及び二つのフッ素樹脂層による積層構造である他の管壁部分とを有し、
前記突条部は、管状部における一の管壁部分における外側のフッ素樹脂層と一体化して連続するフッ素樹脂層と、管状部における一の管壁部分における中間樹脂層及び他の管壁部分における中間樹脂層と一体化した中間樹脂層と、管状部における他の管壁部分における外側のフッ素樹脂層と一体化して連続するフッ素樹脂層との積層構造として形成されたものであり、
前記管状部の、一の管壁部分と他の管壁部分の少なくとも一方における、少なくとも外面に、略同じ大きさの多数の凹凸が、管状部長手方向に並べて形成されることを
特徴とするケーブル。
【請求項６】
熱可塑性樹脂からなる中間樹脂層の表裏両側にフッ素樹脂層をそれぞれ配置した積層構造の二つの帯状シートを、シートの幅方向両端部所定範囲における一方のフッ素樹脂層をそれぞれ除去した状態で、二つのシートを除去により中間樹脂層の露出した端部同士が向かい合うように重ね合わせ、
二つのシートの重なり合う中間樹脂層端部同士を一体化して、内部に連続する中空部分のある管状部を形成し、
当該管状部の少なくとも外面に、略同じ大きさの多数の凹凸を管状部長手方向に並べて形成することを
特徴とするケーブル用カバーの製造方法。
【請求項７】
前記請求項６に記載のケーブル用カバーの製造方法において、
前記二つのシートの中間樹脂層端部同士の一体化で、当該一体化部分が管状部外面から突出し、且つ管状部長手方向に連続する突条部をなし、
当該突条部に、管状部の凹凸より管状部長手方向に長い多数の凹凸を、長手方向に並べて形成することを
特徴とするケーブル用カバーの製造方法。
【請求項８】
前記請求項６又は７に記載のケーブル用カバーの製造方法において、
前記二つのシートを、シートの幅方向における両端部以外の一又は複数の所定箇所でも一方のフッ素樹脂層をそれぞれ除去した状態とし、
二つのシートの重なり合う中間樹脂層端部同士を一体化するのと合わせて、前記所定箇所で露出して重なり合う中間樹脂層同士を一体化し、前記中空部分を複数に区画された状態で生じさせることを
特徴とするケーブル用カバーの製造方法。
【請求項９】
熱可塑性樹脂からなる中間樹脂層の表裏両側にフッ素樹脂層をそれぞれ配置した積層構造の二つの帯状シートを、シートの幅方向両端部所定範囲における一方のフッ素樹脂層をそれぞれ除去した状態で、二つのシートの前記除去により中間樹脂層が露出した部分同士が向かい合うように重ね合わせると共に、心線を一又は複数本有して可撓性のあるケーブル部を、ケーブル部とシートの長手方向を一致させて、二つのシートの除去されず残った一方のフッ素樹脂層の間に介在するようにし、
二つのシートの重なり合う中間樹脂層端部同士を一体化して、前記ケーブル部を取り囲む管状部を形成し、
当該管状部の少なくとも外面に、略同じ大きさの多数の凹凸を管状部長手方向に並べて形成することを
特徴とするケーブルの製造方法。
【発明の詳細な説明】
【技術分野】
【０００１】
本発明は、工作機械や産業用ロボット等、固定部分に対し可動部が移動する装置における、固定部分と可動部との間で電力や制御信号等を伝える手段として使用されるケーブルのカバーに関する。
【背景技術】
【０００２】
工作機械や産業用ロボット等では、固定状態の装置本体に対し移動する機構部分を用いて、加工や搬送、実装等の複雑な作業を実行する仕組みであり、こうした作業を実行する機構部分は、固定の装置本体に対して所定の範囲で動く可動部となっているが、こうした可動部に設けられた様々な機構を適切に動作させるために、可動部と固定状態の装置本体との間は、電力を送給したり制御信号を伝えるケーブルや、油圧や空気圧を送給する管等で接続されている。
【０００３】
このような装置において、可動部と固定部分との間に設けられるケーブル等は、適度な可撓性を有して、可動部の移動に追随して動くことから、ケーブル等と他の物体あるいはケーブル等自体の他部分との接触、摩擦が生じることとなる。このため、装置が用いられる環境によっては、ケーブル等の摩耗により粉塵が発生することによる悪影響を避ける必要があった。この他、装置が用いられる環境によっては、ケーブル等に耐熱性や耐薬品性を付与したり、ケーブル等の樹脂製被覆表面からのアウトガスによるトラブル防止を図る必要もあった。
【０００４】
こうしたケーブル等における摩耗を抑えたり、十分な耐熱性や耐薬品性を確保したり、アウトガス抑制を実現可能とするものとして、ケーブル等のシースとしてフッ素樹脂を用いるものが従来から提案されている。その一例として、特開２００６−１９１２５号公報に開示されるものがある。
【先行技術文献】
【特許文献】
【０００５】
【特許文献１】特開２００６−１９１２５号公報
【発明の概要】
【発明が解決しようとする課題】
【０００６】
従来のケーブルは前記特許文献１に示される構成となっており、フッ素樹脂製シースの安定した性質に基づいて、摩耗による粉塵の発生等を防止できる。
しかしながら、前記特許文献で示されるような従来のケーブルでは、ＰＴＦＥ製シース部分が各ケーブル本体（同軸ケーブル）と面接触状態で密着していることから、ケーブル全体を動かすと各ケーブル本体とシースとの変形状態の差異に起因するストレスが、各ケーブル本体に加わり、耐久性を低下させ、断線のリスクを高めるなどの悪影響を与えるという課題を有していた。
【０００７】
また、ＰＴＦＥ製シース部分がその一部の焼結により一体化されているため、こうした焼結部分の硬質化の影響を受けて、ＰＴＦＥ製シース部分の可撓性や柔軟性等が、各ケーブル本体のそれらに対し大きく劣る状態となっており、ケーブル全体を動かす場合に、変形しにくいシースによる制約でケーブル全体が所望の屈曲状態にならず、ケーブルを接続した可動部の挙動やケーブル自体に悪影響を及ぼすおそれがあることに加え、シースの硬質化した焼結一体化部分にはケーブルが動くごとにストレスが加わり、シースの破損等のトラブルに繋がりやすいという課題を有していた。
【０００８】
本発明は前記課題を解消するためになされたもので、最外層のフッ素樹脂層により耐摩耗性を確保しつつ、収容した内側のケーブル部に対する拘束を抑えて、ケーブル全体を動かす際にケーブル部にストレスが加わりにくく、且つ、硬化部分を生じさせず、ケーブル部収容状態で無理なく容易に屈曲可能な、ケーブル用カバー、及び、このカバーとケーブル部を組み合わせたケーブル、並びに、これらカバーやケーブルの製造方法を提供することを目的とする。
【課題を解決するための手段】
【０００９】
本発明に係るケーブル用カバーは、中間樹脂層の内外両側にフッ素樹脂層をそれぞれ一体に配置した積層管壁構造の管状体とされて、内部に中空部分を設けられてなる管状部と、当該管状部外面から突出する状態として管状部と一体に配設される、管状部長手方向に連続する突条部とを備え、前記管状部が、積層構造の一の管壁部分と、当該一の管壁部分の中間樹脂層及び二つのフッ素樹脂層とはそれぞれ連続しない他の中間樹脂層及び二つのフッ素樹脂層による積層構造である他の管壁部分とを有し、前記突条部は、管状部における一の管壁部分における外側のフッ素樹脂層と一体化して連続するフッ素樹脂層と、管状部における一の管壁部分における中間樹脂層及び他の管壁部分における中間樹脂層と一体化した中間樹脂層と、管状部における他の管壁部分における外側のフッ素樹脂層と一体化して連続するフッ素樹脂層との積層構造として形成されたものであり、前記管状部の、一の管壁部分と他の管壁部分の少なくとも一方における、少なくとも外面に、略同じ大きさの多数の凹凸が、管状部長手方向に並べて形成されるものである。
【００１０】
このように本発明においては、ケーブル部を覆って保護するカバーとして、ケーブル部が内部を通るようにした管状部を設けると共に、この管状部から突出する突条部を長手方向に連続させて一体配設し、フッ素樹脂層を管状部の内外に配置すると共に、管状部に凹凸を多数並べて形成することにより、ケーブル部とカバーからなるケーブル全体が動いて、ケーブル部を収めた管状部と、ケーブル近傍の他の物体やケーブルの他部位との接触が起こる際には、管状部における接触をその凸部のみで生じさせられ、接触面積を少なくして摩擦を減らすことができ、ケーブル全体をスムーズに動かせると共に、摩耗の大幅な抑制が図れることとなる。また、カバーのケーブル部と接する内側部分にもフッ素樹脂層を配設することで、ケーブル全体の動きに伴ってケーブル部とカバーの管状部との接触、摺動が生じても、摩擦力が大きくならず、抵抗を抑えてケーブル全体の動きを滑らかなものにできると共に、接触部位の摩耗による粉塵の発生を確実に抑えられる。
【００１１】
さらに、複数のフッ素樹脂層の管状部としての一体化が、隣り合う中間樹脂層を介してされた状態にあり、フッ素樹脂層同士の直接接合部分を有しないことから、フッ素樹脂層に硬化部分を設けない構造にでき、フッ素樹脂層の本来の可撓性や柔軟性がほとんど維持されたカバーとして、ケーブル全体を所望の屈曲状態にするようにできる。
【００１２】
また、本発明に係るケーブル用カバーは必要に応じて、前記管状部の各管壁部分における外側のフッ素樹脂層と中間樹脂層とが、互いに異なる色をそれぞれ付けられた状態として形成されるものである。
【００１３】
このように本発明においては、管状部の外面側のフッ素樹脂層と中間樹脂層の色を異ならせ、長期にわたる使用で仮にフッ素樹脂層の一部が摩耗して管状部表面から消失した場合、フッ素樹脂層の消失部分から中間樹脂層が一部露出して、大部分がフッ素樹脂層で覆われた管状部表面に中間樹脂層の異なる色が現れた状態となることにより、管状部外面のフッ素樹脂層の中から色の異なる中間樹脂層の露出箇所を明確且つ速やかに認識して、フッ素樹脂層の限度を超えた摩耗として把握可能となり、フッ素樹脂層の摩耗によるカバー劣化状態の判断が速やかに行え、交換等の対応に結び付けることができ、ケーブルの不具合による問題を未然に防止できる。
【００１４】
また、本発明に係るケーブル用カバーは必要に応じて、前記管状部の横幅方向における一又は複数の所定箇所に、管状部における一の管壁部分における外側のフッ素樹脂層と一体化して連続するフッ素樹脂層と、管状部における一の管壁部分における中間樹脂層及び他の管壁部分における中間樹脂層と一体化した中間樹脂層と、管状部における他の管壁部分における外側のフッ素樹脂層と一体化して連続するフッ素樹脂層との積層構造として形成される接合部が、管状部長手方向に連続して設けられ、管状部の中空部分が、接合部位置で複数に区画されるものである。
【００１５】
このように本発明においては、管状部の横幅方向における一又は複数の所定箇所に積層構造の接合部を設けて、ケーブル部の通る管状部の中空部分が複数に分かれるようにし、ケーブル部を複数組に分けた状態で管状部内に配置できることにより、ケーブル部を用途や種類の違いに応じて分けて管状部に収容したり、絶縁やノイズ防止のために互いに離して配置する必要のある複数組のケーブル部を、分かれた中空部分にそれぞれ収容して完全に隔離することができ、ケーブル部とカバーを組み合わせたケーブル全体としての使い勝手を大きく向上させることができる。
【００１６】
また、本発明に係るケーブル用カバーは必要に応じて、前記突条部に、管状部の凹凸より管状部長手方向に長い多数の凹凸を、管状部長手方向に並べて形成されるものである。
【００１７】
このように本発明においては、カバーの管状部長手方向に連続する突条部に、管状部のものと異なる所定の凹凸を繰り返し設けて、凹凸が長手方向に並んだ状態とすることにより、ケーブル全体が動いて、カバーにおける突条部と、ケーブル近傍の他の物体やケーブルの他部位との接触が起こる際に、突条部における接触をその凸部のみで生じさせられ、接触面積を少なくして摩擦を減らすことができ、ケーブル全体をよりスムーズに動かせると共に、突条部における摩耗の抑制が図れる。また、突条部の凹凸の大きさを管状部の凹凸とは異ならせていることで、管状部と突条部における各振動モードに差異を生じさせ、ケーブルに生じる振動が特定の振動数に偏って大きくなるのを防いで、不要な振動を抑えることができる。
【００１８】
また、本発明に係るケーブルは、心線を一又は複数本有して可撓性のあるケーブル部と、内側に前記ケーブル部を一又は複数組収容する中空部分のある略管状のカバーとを備えるケーブルにおいて、前記カバーが、中間樹脂層の内外両側にフッ素樹脂層をそれぞれ配置した積層管壁構造の管状体とされて、内部にケーブル部を収容可能な中空部分を設けられてなる管状部と、当該管状部外面から突出する状態として管状部と一体に配設される、管状部長手方向に連続する突条部とを備え、前記管状部が、積層構造の一の管壁部分と、当該一の管壁部分の中間樹脂層及び二つのフッ素樹脂層とはそれぞれ連続しない他の中間樹脂層及び二つのフッ素樹脂層による積層構造である他の管壁部分とを有し、前記突条部は、管状部における一の管壁部分における外側のフッ素樹脂層と一体化して連続するフッ素樹脂層と、管状部における一の管壁部分における中間樹脂層及び他の管壁部分における中間樹脂層と一体化した中間樹脂層と、管状部における他の管壁部分における外側のフッ素樹脂層と一体化して連続するフッ素樹脂層との積層構造として形成されたものであり、前記管状部の、一の管壁部分と他の管壁部分の少なくとも一方における、少なくとも外面に、略同じ大きさの多数の凹凸が、管状部長手方向に並べて形成されるものである。
【００１９】
このように本発明においては、ケーブル部を覆って保護するカバーとして、ケーブル部が内部を通る管状部を設けると共に、この管状部から突出する突条部を長手方向に連続させて一体配設し、フッ素樹脂層を管状部の内外に配置すると共に、管状部に凹凸を多数並べて形成することにより、ケーブル全体が動いて、ケーブル部を収めた管状部と、ケーブル近傍の他の物体やケーブルの他部位との接触が起こる際に、管状部における接触をその凸部のみで生じさせられ、接触面積を少なくして摩擦を減らすことができ、ケーブル全体をスムーズに動かせると共に、摩耗の大幅な抑制が図れることとなる。また、カバーのケーブル部と接する内側部分にもフッ素樹脂層を配設することで、ケーブル全体の動きに伴ってケーブル部とカバーの管状部との接触、摺動が生じても、摩擦力が大きくならず、抵抗を抑えてケーブル部とカバーのそれぞれの動きを滑らかなものにできると共に、接触部位の摩耗による粉塵の発生を確実に抑えられる。
【００２０】
さらに、カバーにおける複数のフッ素樹脂層の管状部としての一体化が、隣り合う中間樹脂層を介してされた状態にあり、フッ素樹脂層同士の直接接合部分を有しないことから、フッ素樹脂層に硬化部分を設けない構造にでき、フッ素樹脂層の本来の可撓性や柔軟性がほとんど維持されたカバーとして、ケーブル全体を所望の屈曲状態にするようにできる。
【００２１】
また、本発明に係るケーブル用カバーの製造方法は、熱可塑性樹脂からなる中間樹脂層の表裏両側にフッ素樹脂層をそれぞれ配置した積層構造の二つの帯状シートを、シートの幅方向両端部所定範囲における一方のフッ素樹脂層をそれぞれ除去した状態で、二つのシートを除去により中間樹脂層の露出した端部同士が向かい合うように重ね合わせ、二つのシートの重なり合う中間樹脂層端部同士を一体化して、内部に連続する中空部分のある管状部を形成し、当該管状部の少なくとも外面に、略同じ大きさの多数の凹凸を管状部長手方向に並べて形成するものである。
【００２２】
このように本発明においては、フッ素樹脂層を含む積層構造の二つの帯状シートを、一部のフッ素樹脂層を除去した状態でこの除去部分同士を向かい合わせるようにして重ね合わせ、フッ素樹脂層の除去により露出した二つの中間樹脂層を一体化して、中空部分のある管状部を形成し、且つ管状部には多数の凹凸を長手方向に並べて形成して、ケーブル部を収容可能なカバーとすることにより、カバーの内外にフッ素樹脂層を配置でき、カバー内部に通すケーブル部とカバーの管状部内面との接触、摺動が生じても、摩擦力が大きくならず、抵抗を抑えてケーブル部とカバーのそれぞれの動きを滑らかなものにできると共に、接触部位の摩耗による粉塵の発生を確実に抑えられる。また、ケーブル部を収めたカバー外面と、他の物体やカバーの他部位との接触が起こる場合も、カバーのうち管状部における接触をその凸部のみで生じさせられ、接触面積を少なくして摩擦を減らすことができ、カバーとその内側のケーブル部をまとめてスムーズに動かせると共に、摩耗の大幅な抑制が図れる。
【００２３】
さらに、二つのシートを、露出させた中間樹脂層端部同士を重ねて一体化して管状部としており、フッ素樹脂層同士を焼結等で直接接合していないことで、フッ素樹脂層を硬化させずに済み、フッ素樹脂層の本来の可撓性や柔軟性がほとんど維持されたカバーが得られ、カバーとこれに通したケーブル部を所望の屈曲状態にできることとなる。
【００２４】
また、本発明に係るケーブル用カバーの製造方法は必要に応じて、前記二つのシートを、シートの幅方向における両端部以外の一又は複数の所定箇所でも一方のフッ素樹脂層をそれぞれ除去した状態とし、二つのシートの重なり合う中間樹脂層端部同士を一体化するのと合わせて、前記所定箇所で露出して重なり合う中間樹脂層同士を一体化し、前記中空部分を複数に区画された状態で生じさせるものである。
【００２５】
このように本発明においては、二つの帯状シートを、幅方向両端部以外でもフッ素樹脂層を除去した状態とした上で、それぞれの除去により露出した二つの中間樹脂層を一体化して、中空部分を複数区画した状態とし、カバーの管状部にケーブル部を複数の組に分けて収容可能とすることにより、ケーブル部を用途や種類の違いに応じて分けて管状部に収容したり、絶縁やノイズ防止のために互いに離して配置する必要のある二組のケーブル部を、分かれた中空部分にそれぞれ収容して完全に隔離することができ、ケーブル部とカバーを組み合わせたケーブル全体としての使い勝手を大きく向上させることができる。
【００２６】
また、本発明に係るケーブル用カバーの製造方法は必要に応じて、前記二つのシートの中間樹脂層端部同士の一体化で、当該一体化部分が管状部外面から突出し、且つ管状部長手方向に連続する突条部をなし、当該突条部に、管状部の凹凸より管状部長手方向に長い多数の凹凸を、長手方向に並べて形成するものである。
【００２７】
このように本発明においては、二つのシートにおけるフッ素樹脂層の除去により露出した中間樹脂層端部同士を一体化した後、この一体化部分からなる突条部に、管状部のものと異なる所定の凹凸を長手方向に並べて形成して、カバーを得ることにより、ケーブル部を収めたカバー外面と、他の物体やカバーの他部位との接触が起こる場合に、カバーのうち突条部における接触をその凸部のみで生じさせられ、接触面積を少なくして摩擦を減らすことができ、カバーとその内側のケーブル部をよりスムーズに動かせると共に、突条部における摩耗の抑制が図れる。また、突条部の凹凸の大きさを管状部の凹凸とは異ならせていることで、ケーブル部を収めた管状部と突条部における各振動モードに差異を生じさせ、カバーとケーブル部に生じる振動が特定の振動数に偏って大きくなるのを防いで、不要な振動を抑えることができる。
【００２８】
また、本発明に係るケーブルの製造方法は、熱可塑性樹脂からなる中間樹脂層の表裏両側にフッ素樹脂層をそれぞれ配置した積層構造の二つの帯状シートを、シートの幅方向両端部所定範囲における一方のフッ素樹脂層をそれぞれ除去した状態で、二つのシートの前記除去により中間樹脂層が露出した部分同士が向かい合うように重ね合わせると共に、心線を一又は複数本有して可撓性のあるケーブル部を、ケーブル部とシートの長手方向を一致させて、二つのシートの除去されず残った一方のフッ素樹脂層の間に介在するようにし、二つのシートの重なり合う中間樹脂層端部同士を一体化して、前記ケーブル部を取り囲む管状部を形成し、当該管状部の少なくとも外面に、略同じ大きさの多数の凹凸を管状部長手方向に並べて形成するものである。
【００２９】
このように本発明においては、フッ素樹脂層を含む積層構造の二つの帯状シートを、一部のフッ素樹脂層を除去した状態でこの除去部分同士を向かい合わせるようにして重ね合わせつつ、二つのシートの除去されず残ったフッ素樹脂層の間にケーブル部を介在させるように配置し、フッ素樹脂層の除去により露出した二つの中間樹脂層を一体化して、ケーブル部が内部に収容された管状部を形成し、且つ管状部には多数の凹凸を長手方向に並べて形成して、ケーブル部をカバーで被覆したケーブルとすることにより、カバーの内外にフッ素樹脂層を配置でき、ケーブル部とカバーの管状部内面との接触、摺動が生じても、摩擦力が大きくならず、抵抗を抑えてケーブル部とカバーのそれぞれの動きを滑らかなものにできると共に、接触部位の摩耗による粉塵の発生を確実に抑えられる。また、ケーブル部を収めたカバー外面と、他の物体やカバーの他部位との接触が起こる場合も、カバーのうち管状部における接触をその凸部のみで生じさせられ、接触面積を少なくして摩擦を減らすことができ、ケーブル全体をスムーズに動かせると共に、摩耗の大幅な抑制が図れる。
【００３０】
さらに、二つのシートを、露出させた中間樹脂層端部同士を重ねて一体化して管状部としており、フッ素樹脂層同士を焼結等で直接接合していないことで、フッ素樹脂層を硬化させずに済み、フッ素樹脂層の本来の可撓性や柔軟性がほとんど維持されたカバーが得られ、ケーブル部と合わせたケーブル全体を所望の屈曲状態にできることとなる。
【図面の簡単な説明】
【００３１】
【図１】本発明の第１の実施形態に係るケーブルの要部の斜視図である。
【図２】本発明の第１の実施形態に係るケーブルの要部の側面図である。
【図３】本発明の第１の実施形態に係るケーブルにおける突条部の拡大断面図である。
【図４】本発明の第１の実施形態に係るケーブルにおけるカバーの一体化工程説明図である。
【図５】本発明の第１の実施形態に係るケーブルにおけるカバー凸部の摩耗状態説明図である。
【図６】本発明の第１の実施形態に係るケーブルの他例における要部側面図である。
【図７】本発明の第２の実施形態に係るケーブルの要部の斜視図である。
【図８】本発明の第２の実施形態に係るケーブルにおけるカバーの一体化工程説明図である。
【図９】本発明の第３の実施形態に係るケーブルの製造工程説明図である。
【発明を実施するための形態】
【００３２】
（本発明の第１の実施形態）
以下、本発明の第１の実施形態に係るケーブルを前記図１ないし図５に基づいて説明する。
前記各図において、本実施形態に係るケーブル１は、心線を一又は複数本有して可撓性のあるケーブル部１０と、このケーブル部１０を複数並列した状態で被覆するカバー２０とを備える構成である。
【００３３】
前記ケーブル部１０は、電気や光を通す心線１１ａをシース１１ｂで被覆して略円断面形状として形成されるものである。このケーブル部１０が、並列状態でカバー２０内に複数収容され、カバー２０により略帯状に一体化されることとなる。
【００３４】
これら複数のケーブル部１０が、並列状態で連結一体化されていることで、ケーブル部１０の並列方向と直交する向きに屈曲しやすく、それ以外の向きには屈曲しにくい状態が得られる。なお、ケーブル部は略円断面形状のものに限られず、複数の心線を並列状態でまとめてシースで被覆して一体化した平形や略矩形断面形状のものとすることもできる。
【００３５】
前記カバー２０は、中間樹脂層２３の内外両側にフッ素樹脂層２４、２５をそれぞれ配置した積層管壁構造の管状体とされて、内部にケーブル部１０を収容可能な中空部分を設けられてなる管状部２１と、この管状部２１外面から突出する状態として管状部２１と一体に配設される突条部２２とを備える構成である。
【００３６】
前記管状部２１は、中間樹脂層２３の内外両側にフッ素樹脂層２４、２５がそれぞれ配置される積層構造の一の管壁部分２１ａと、この一の管壁部分２１ａにおける中間樹脂層２３及び二つのフッ素樹脂層２４、２５とはそれぞれ連続しない他の中間樹脂層及び二つのフッ素樹脂層による積層構造である他の管壁部分２１ｂとを有する構成である。
【００３７】
前記中間樹脂層２３は、フッ素樹脂より融点の低いフッ素非含有の熱可塑性樹脂、例えば、ポリウレタン樹脂からなるものである。
前記フッ素樹脂層２４、２５は、例えば、ＰＴＦＥ（ポリテトラフルオロエチレン）やＰＦＡ（テトラフルオロエチレン・ペルフルオロエーテル共重合体）、ＦＥＰ（テトラフルオロエチレン・ヘキサフルオロプロピレン共重合体）などを用いることができる。
【００３８】
この管状部２１の各管壁部分における外側のフッ素樹脂層２５と中間樹脂層２３とは、互いに異なる色をそれぞれ付けられた状態として形成される。例えば、フッ素樹脂層２５が白色とされる場合、中間樹脂層２３はそれと異なる色で、彩度や明度の差が大きく差異がわかりやすい、赤色や橙色とされる。この他、フッ素樹脂層２５が有彩色の場合は、中間樹脂層２３はそれと彩度や明度と共に色相も異なる所定色とされる。
【００３９】
また、管状部２１は、その一の管壁部分２１ａと他の管壁部分２１ｂのいずれにも、略同じ大きさの多数の凹凸を管状部長手方向に並べて形成される構成である。これらの凹凸は、管状部２１の管壁部分自体を波状に変形させたものであり、その大きさは管壁厚さより十分大きく、外面側の形状が内面側に反転して現れる。凹凸をなす凸部２１ｃの管状部長手方向に並ぶ間隔は、等間隔に限られるものではなく、一部又は全部が不等間隔として形成される構成とすることもできる（図２参照）。
【００４０】
この管状部２１においては、外面の凸部２１ｃが他の物体やケーブル１の他部に接触することとなる。一方、管状部２１内面側においても、凸部２１ｄのみがケーブル部１０表面に接触する。こうした接触が凸部２１ｃ、２１ｄに限定されることで、ケーブル全体の動きや屈曲位置の変化に応じて接触位置がずれ、摩擦が生じる際の、摩擦力の発生を最小限とすることができる。
【００４１】
この管状部２１は、中間樹脂層２３の表裏両側にフッ素樹脂層２４、２５をそれぞれ配置した積層構造の二つの帯状シート４０を、シートの幅方向両端部所定範囲における一方のフッ素樹脂層２４をそれぞれ除去した状態で、この除去により中間樹脂層２３の露出した端部同士が向かい合うように重ね合わせ、これら二つのシート４０の重なり合う中間樹脂層端部同士を、融着一体化して形成される。そして、向かい合った一方のフッ素樹脂層２４の除去されなかった残り部分同士が、その間にケーブル部１０を収容可能な中空部分を生じさせる。
【００４２】
前記突条部２２は、管状部２１形成のためのシート４０の中間樹脂層２３端部の融着の結果生じた、管状部長手方向に連続する所定幅の端縁部分である。
詳細には、突条部２２は、管状部２１における一の管壁部分２１ａにおける外側のフッ素樹脂層２５と一体化して連続するフッ素樹脂層２２ａと、管状部２１における一の管壁部分２１ａにおける中間樹脂層２３及び他の管壁部分２１ｂにおける中間樹脂層２３と一体化した中間樹脂層２２ｂと、管状部２１における他の管壁部分における外側のフッ素樹脂層２５と一体化して連続するフッ素樹脂層２２ｃとの積層構造を有するものである。
【００４３】
突条部２２は、管状部２１の一の管壁部分２１ａをなすシートと他の管壁部分２１ｂをなすシートとを融着一体化して生じた部分であるが、二つのシート４０における一体化する端部の大きさを適切に設定していることで、カバー２０がケーブル部１０を挿入された状態で全体として屈曲する状態においても、十分な一体化強度を有して、管状部２１をなす一の管壁部分２１ａと他の管壁部分２１ｂとの一体化した状態を無理なく維持できる。
【００４４】
この突条部２２には、管状部２１の凹凸より管状部長手方向に長い多数の凹凸、すなわち、凹凸をなす凸部２２ｄの長手方向にあらわれる間隔が管状部２１の凸部２１ｃの間隔より大きくなる凹凸を、管状部長手方向に並べて形成するようにしてもよい（図６参照）。この場合の突条部２２における凸部２２ｄの間隔も、等間隔に限られるものではなく、一部又は全部が不等間隔として形成される構成とすることができる。
【００４５】
次に、本実施形態に係るケーブルのカバー製造過程及びケーブル使用状態について説明する。
はじめに、カバー２０の製造過程について説明する。ここで、カバー２０の材料となるシート４０としては、中間樹脂層２３の表裏両側にフッ素樹脂層２４、２５をそれぞれ配置され、且つ、中間樹脂層２３とフッ素樹脂層２５とが互いに異なる色をなすようにされた積層構造の二つの帯状シートを用いる。
【００４６】
まず、二つのシート４０において、シートの幅方向両端部所定範囲における一方のフッ素樹脂層２４をそれぞれ除去して、中間樹脂層２３が端から所定幅分露出した状態とする（図４（Ａ）参照）。この除去により露出した中間樹脂層２３の端部同士が向かい合うように二つのシート４０を重ね合わせる。そして、これら二つのシート４０の端部に外部から熱を加えて、二つのシートの重なり合う中間樹脂層端部同士を融着一体化する（図４（Ｂ）参照）。一体化は、中間樹脂層２３同士の融着によりなされるため、シートの加熱は従来のフッ素樹脂同士を焼結一体化する場合のような高温で行う必要はなく、中間樹脂層２３同士を一部溶融させる程度の温度（例えば、１５０〜１７０℃）でなされる。
【００４７】
こうして二つのシート４０端部の中間樹脂層同士を融着一体化することで、管状部２１が形成される。そして、シート端部の融着の結果生じた管状部長手方向に連続する端縁部分が、突条部２２となって、管状部２１と突条部２２を備えるカバー２０が完成となる。
この時、一方のフッ素樹脂層２４の除去されなかった残り部分同士が向かい合った部位間には、ケーブル部１０を収容可能な中空部分２６が生じる。
【００４８】
また、一体化した二つのシート４０における、熱を加えた端部（突条部）と熱を加えていない部分（管状部）との加熱終了以降の収縮度合いの差異により、長手方向に縮む向きの力を受ける管状部２１には、略同じ大きさの多数の凹凸が管状部長手方向に並んで形成された状態となる。
完成状態となったカバー２０の中空部分２６には、ケーブル部１０が通されて、カバー２０とケーブル部１０が一体となった帯状のケーブル１が得られる。
【００４９】
こうしてカバー２０の内外にフッ素樹脂層２４、２５を配置すると共に、管状部２１に凹凸を形成していることで、カバー２０の管状部２１内外での他との接触を凸部のみに限定することができ、接触面積を少なくして摩擦を軽減することができ、カバー２０とその内側のケーブル部１０からなるケーブル全体をスムーズに動かせる。
【００５０】
さらに、カバー２０の管状部２１は、二つのシート４０を、露出させた中間樹脂層端部同士を重ねて融着一体化することで得られており、フッ素樹脂層同士を高温で加熱して直接接合していないことから、フッ素樹脂層２４、２５は硬化しておらず、フッ素樹脂層の本来の可撓性や柔軟性がほとんど維持されており、カバー２０は問題なく所望の位置で屈曲可能であり、ケーブル全体としての屈曲を妨げることはない。
【００５１】
続いて、本実施形態に係るケーブルの使用状態について説明する。ケーブル１は、加工や搬送、実装等の複雑な作業を実行する機構部分が、固定の装置本体に対して所定の範囲で動く可動部となっている装置に適用され、その可動部と固定部分との間に設けられるものとする。
【００５２】
ケーブル１は、前記装置における可動部の移動に追随して動くが、ケーブル１が動くと、ケーブル同士が接触したり、ケーブルと他の物体が接触する事態が生じる。しかし、こうした状況でも、ケーブル１のカバー２０に凹凸があることで、接触部位が限定され、摩擦抵抗の発生箇所を少なくすることができ、ケーブル１は可動部の動きに対応してスムーズに動くこととなる。
【００５３】
また、カバー２０表面のフッ素樹脂層２５は他の物体との接触を経てもほとんど摩耗せず、摩耗による粉塵もほとんど出ない。特に、クリーンルームで使用される場合、クリーンルームの清浄度管理能力、例えば、空気中の塵埃除去システムの能力を超えるような粉塵を発生させないため、クリーンルームの清浄度に悪影響を及ぼすことはなく、クリーンルームで継続使用可能である。
【００５４】
ただし、長期にわたりケーブルの使用が続くと、他との接触が生じやすいカバー２０の凸部２１ｃでフッ素樹脂層２５の摩耗が進行している場合があり、フッ素樹脂層２５の摩耗度合いによっては中間樹脂層２３の露出も起り得る。この中間樹脂層２３の露出は、フッ素樹脂層２５とは異なる色が表面にあらわれることで容易に識別できる（図５参照）。通常は、中間樹脂層２３の露出をそのままにして使用を継続すると、中間樹脂層２３が摩耗して粉塵が発生し、フッ素樹脂層２５の摩耗の場合と異なりクリーンルームの清浄度を維持できないおそれがあるため、ケーブルを交換することとなる。
【００５５】
このように、本実施形態に係るケーブルにおいては、中間樹脂層２３とフッ素樹脂層２４、２５を含む積層構造の二つの帯状シート４０を、一部のフッ素樹脂層２４を除去した状態でこの除去部分同士を向かい合わせるようにして重ね合わせ、フッ素樹脂層２４の一部除去により露出した二つの中間樹脂層端部を一体化して、中空部分のある管状部２１を形成し、且つ管状部２１には多数の凹凸を長手方向に並べて形成して、カバー２０とし、このカバー２０でケーブル部１０を覆って保護する構造とされる。これにより、ケーブル全体が動いて、ケーブル部１０を収めたカバー２０各部と、ケーブル近傍の他の物体やケーブルの他部位との接触が起こる際に、管状部２１や突条部２２における接触をそれらの凸部のみで生じさせられ、接触面積を少なくして摩擦を減らすことができ、ケーブル全体をスムーズに動かせると共に、摩耗の大幅な抑制が図れることとなる。また、カバー２０のケーブル部１０と接する内側部分にもフッ素樹脂層２４を配設できることで、ケーブル全体の動きに伴ってケーブル部１０とカバー２０の管状部２１内面との接触、摺動が生じても、摩擦力が大きくならず、抵抗を抑えてケーブル部１０とカバー２０のそれぞれの動きを滑らかなものにでき、ケーブル部１０に加わるストレスを抑制できると共に、接触部位の摩耗による粉塵の発生を確実に抑えられる。
【００５６】
さらに、二つのシート４０を、露出させた中間樹脂層端部同士を重ねて一体化して管状部２１としており、フッ素樹脂層同士を焼結等で直接接合していないことで、フッ素樹脂層を硬化させずに済み、フッ素樹脂層の本来の可撓性や柔軟性がほとんど維持されたカバー２０が得られ、カバー２０とこれに通したケーブル部１０を所望の屈曲状態にできることとなる。
【００５７】
なお、前記実施形態に係るケーブルにおいては、五本のケーブル部１０をカバー２０で並列一体化して帯状のケーブル１とする構成としているが、これに限らず、ケーブル部を五本以外の複数本並列一体化してケーブルとする構成としてもかまわない。また、ケーブル部としては、シースを有しない心線のみのものや、これら心線がシールド用導体で覆われたものとしてもよく、さらに、心線を有しない中空管状のチューブを、他のケーブル部同様に並列一体化して用いるようにしてもよい。
【００５８】
また、前記実施形態に係るケーブルにおいては、カバー２０をなす二つのシート４０を、露出させた端部の中間樹脂層２３同士を加熱により融着させてカバー２０としての一体化を図る構成としているが、これに限定されるものではなく、接着剤で二つのシートにおける端部の中間樹脂層２３同士を接着一体化してカバーを形成する構成とするなど、融着以外の他の一体化手法を使用することもできる。接着で一体化を図る場合、接着剤は、接着機能を発揮しつつ弾性変形可能な状態を維持するものが望ましい。
【００５９】
また、前記実施形態に係るケーブルにおいては、カバー２０をなす二つのシート４０の融着一体化に伴って生じる収縮力により、管状部２１に多数の凹凸を形成する構成としているが、この他、管状部に所望の凹凸パターンを圧着転写するなどの方法で、管状部に多数の凹凸を形成するようにしてもかまわない。
【００６０】
さらに、突条部２２においても、二つのシート４０の融着の際の押圧力付加及び除去や、熱移動に伴う膨張、収縮を経て、緩い凹凸が長手方向に連続する波状に形成された状態となるようにしたり、融着と同時に、突条部にあたるシート端部に所望の凹凸形状を圧着転写して、融着後の突条部に管状部長手方向に並ぶ多数の凹凸を付与する構成とすることもできる。この他、突条部２２に対し、融着とは別途に所望の凹凸形状を圧着転写して多数の凹凸を形成するようにしてもよい。こうした凹凸により、突条部における他との接触をその凸部のみで生じさせられ、接触面積を少なくして摩擦を減らすことができ、ケーブル全体をよりスムーズに動かせると共に、突条部における摩耗の抑制が図れる。
【００６１】
この突条部２２における凹凸は、管状部２１の凹凸より凸部間の間隔が長いものとして、管状部と突条部における各振動モードに差異を生じさせ、ケーブルに生じる振動が特定の振動数に偏って大きくなるのを防いで、不要な振動を抑えられるようにするのが好ましいが、その間隔は等間隔とは限らず、一部又は全部が不等間隔となってもかまわない。
【００６２】
（本発明の第２の実施形態）
前記第１の実施形態に係るケーブルにおいては、カバー２０の製造過程で、二つのシート４０の幅方向両端部における一方のフッ素樹脂層２４をそれぞれ除去し、この除去により露出した中間樹脂層２３の端部同士を重ね合わせ、融着一体化して、中空部分が唯一生じた管状部２１を形成し、この管状部２１を含むカバー２０とケーブル部１０とをケーブルとして組み合わせる構成としているが、この他、第２の実施形態として、図７、図８に示すように、二つのシート４０の幅方向両端部だけでなく他の一又は複数箇所でも一方のフッ素樹脂層２４をそれぞれ除去し、この除去により露出した箇所の中間樹脂層２３同士を重ね合わせ、融着一体化して、中空部分が複数区画された状態で生じた管状部２１を形成し、これら管状部２１の各中空部分にケーブル部１０を分散配置してケーブル２を得る構成とすることもできる。
【００６３】
この場合、管状部２１形成のためのシート４０の中間樹脂層２３端部以外の融着の結果として、管状部長手方向に連続する所定幅の接合部２７が生じている。
詳細には、接合部２７は、管状部２１における一の管壁部分２１ａにおける外側のフッ素樹脂層２５と一体化して連続するフッ素樹脂層２７ａと、管状部２１における一の管壁部分２１ａにおける中間樹脂層２３及び他の管壁部分２１ｂにおける中間樹脂層２３と一体化した中間樹脂層２７ｂと、管状部２１における他の管壁部分における外側のフッ素樹脂層２５と一体化して連続するフッ素樹脂層２７ｃとの積層構造を有するものである。
【００６４】
こうして、カバー２０の管状部横幅方向における一又は複数の所定箇所に積層構造の接合部２７を設けて、ケーブル部１０の通る管状部２１の中空部分が複数に分かれるようにし、ケーブル部１０を複数組に分けた状態で管状部２１内に配置できることから、ケーブル部１０を用途や種類の違いに応じて分けて管状部２１に収容したり、絶縁やノイズ防止のために互いに離して配置する必要のある二組のケーブル部を、分かれた中空部分にそれぞれ収容して完全に隔離することができ、ケーブル部１０とカバー２０を組み合わせたケーブル２全体としての使い勝手を大きく向上させることができる。
【００６５】
（本発明の第３の実施形態）
前記第１及び第２の各実施形態に係るケーブルにおいては、完成状態となったカバー２０の中空部分にケーブル部１０を通して、一体の帯状ケーブルを形成する構成としているが、これに限られるものではなく、第３の実施形態として、図９に示すように、カバー２０の製造過程で、二つのシート４０からカバーを形成する際に、ケーブル部１０がシート間に配置されるようにして、二つのシート４０を融着一体化して管状部２１を形成すると、ケーブル部１０が既にカバー２０内に配置された状態となって、ケーブル部１０とカバー２０との組合せからなるケーブル３がカバー２０の完成と同時に得られる構成とすることもできる。
【００６６】
詳細には、二つの帯状シート４０を、シートの幅方向両端部等所定範囲における一方のフッ素樹脂層２４をそれぞれ除去した状態で、この除去により中間樹脂層２３が露出した部分同士が向かい合うように重ね合わせると共に、ケーブル部１０を、このケーブル部とシート４０の長手方向を一致させて、二つのシート４０の除去されず残った一方のフッ素樹脂層２４の間に介在させる。そして、二つのシート４０の重なり合う中間樹脂層２３同士を融着一体化して、ケーブル部１０を取り囲む管状部２１を形成し、カバー２０と共にケーブル３としての完成状態を得ることとなる。
【００６７】
この場合も、前記各実施形態同様、カバー２０の外面だけでなくケーブル部１０と面するカバー内面にフッ素樹脂層２４を配置でき、ケーブル部１０とカバー２０の管状部内面との接触、摺動が生じても、摩擦力が大きくならず、抵抗を抑えてケーブル部１０とカバー２０のそれぞれの動きを滑らかなものにできると共に、接触部位の摩耗による粉塵の発生を確実に抑えられる。また、ケーブル部１０を収めたカバー外面と、他の物体やカバーの他部位との接触が起こる場合も、カバー２０における接触をその凸部のみで生じさせられ、接触面積を少なくして摩擦を減らすことができ、ケーブル３全体をスムーズに動かせると共に、摩耗の大幅な抑制が図れる。
【符号の説明】
【００６８】
１、２、３              ケーブル
１０                    ケーブル部
１１ａ                  心線
１１ｂ                  シース
２０                    カバー
２１                    管状部
２１ａ                  一の管壁部分
２１ｂ                  他の管壁部分
２１ｃ、２１ｄ          凸部
２２                    突条部
２２ａ、２２ｃ          フッ素樹脂層
２２ｂ                  中間樹脂層
２２ｄ                  凸部
２３                    中間樹脂層
２４、２５              フッ素樹脂層
２６                    中空部分
２７                    接合部
２７ａ、２７ｃ          フッ素樹脂層
２７ｂ                  中間樹脂層
４０                    シート
【図１】
2019009859.tif 000003
【図２】
2019009859.tif 000004
【図３】
2019009859.tif 000005
【図４】
2019009859.tif 000006
【図５】
2019009859.tif 000007
【図６】
2019009859.tif 000008
【図７】
2019009859.tif 000009
【図８】
2019009859.tif 000010
【図９】
2019009859.tif 000011